(57)【要約】【課題】  宝石の従来の装飾性を付与する機能に加えて、従来にはない機能として、香りを発する機能を有する宝石を提供する。【解決手段】  カットが施された宝石２に非貫通の穴３が開けられていて、穴３の内部に、香水または香油４が界面張力により保持されている。【選択図】図１
2009018016.tif 000002
【特許請求の範囲】
【請求項１】
カットが施された宝石に非貫通の穴が開けられていて、穴の内部に、香水または香油が界面張力により保持されていることを特徴とする香り機能付き宝石。
【請求項２】
宝石は透明石であるとともに、穴の壁面は研磨加工されて透明な壁面であることを特徴とする請求項１記載の香り機能付き宝石。
【請求項３】
穴の径が、０．８ｍｍ〜２．０ｍｍであることを特徴とする請求項１または２に記載の香り機能付き宝石。
【請求項４】
請求項１から３のいずれか一項に記載の香り機能付き宝石を用いたアクセサリー。
【請求項５】
請求項１から３のいずれか一項に記載の香り機能付き宝石を用いたインテリア。
【請求項６】
香り機能付き宝石の作製方法であって、宝石にカットを施した後に非貫通の穴を開けて、次いで穴の内部に香水または香油を注入し、香水または香油を界面張力により保持させることを特徴とする香り機能付き宝石の作製方法。
【請求項７】
宝石は透明石である場合に、穴の壁面を研磨加工することを特徴とする請求項６に記載の香り機能付き宝石の作製方法。
【請求項８】
硬質木材を用いて研磨加工することを特徴とする請求項７に記載の香り機能付き宝石の作製方法。
【請求項９】
竹材を用いて研磨加工することを特徴とする請求項８に記載の香り機能付き宝石の作製方法。
【請求項１０】
穴の径が、０．８ｍｍ〜２．０ｍｍであることを特徴とする請求項６から９のいずれかに記載の香り機能付き宝石の作製方法。
【発明の詳細な説明】
【技術分野】
【０００１】
本発明は、香り機能付き宝石およびこれを用いたアクセサリーまたはインテリアと、香り機能付き宝石の作製方法に関するものである。
【背景技術】
【０００２】
従来、香水や香水の香り成分である香油（以下、香水等とする）は、身体、衣類、ハンカチ等に塗布して、その香りを楽しむものとして利用されている。
【０００３】
しかし、従来の香水等の使用対象として、身体に使用した場合、汗等によって流れてしまう煩わしさや皮膚に対して悪影響を及ぼしてしまう不安もあり、また、衣類、ハンカチ等に使用した場合、これらが変色してしまうこともあった。
【０００４】
このため、身体、衣類、ハンカチ等に直接塗布せず、さらにはアクセサリーの装飾性と香水の香りとを合わせて楽しむことを目的して、リング、ペンダント、イヤリング、ピアス、ブレスレット、時計等のアクセサリーの中に、香水を含浸させた部材を取付けたり、あるいは格納させたりという試みがなされている（例えば、特許文献１、２）。
【０００５】
一方、宝石は、色、透明度、輝き等の美的外観に注目され、本来宝石そのものが有する特徴を最大限活かすためにカットが施され、アクセサリーや部屋を飾るためのインテリア等の装飾品に対して装飾性を付与するために利用されている。
【０００６】
ただ、特許文献１、特許文献２等のように、装飾品の内部に、香りを発散させる部材を組み合わせるという試みはなされているものの、従来、宝石自体は、宝石をあしらうアクセサリーやインテリアに装飾性を付与する機能しか有していない。
【特許文献１】特開２００３−１１６６０５
【特許文献２】特開昭５２−１２６３７０
【発明の開示】
【発明が解決しようとする課題】
【０００７】
本発明は、以上の通りの事情に鑑みてなされたものであり、宝石の従来の装飾性を付与する機能に加えて、従来にはない機能として、香りを発する機能を有する宝石を提供することを課題としている。
【課題を解決するための手段】
【０００８】
本発明は、上記の課題を解決するために、第１には、カットが施された宝石に非貫通の穴が開けられていて、穴の内部に、香水または香油が界面張力により保持されていることを特徴とする香り機能付き宝石を提供する。
【０００９】
第２には、宝石は透明石であるとともに、穴の壁面は研磨加工されて透明な壁面であることを特徴とし、また、第３には、穴の径が、０．８ｍｍ〜２．０ｍｍであることを特徴とする香り機能付き宝石を提供する。
【００１０】
さらに、第４には、上記香り機能付き宝石を用いたアクセサリーを、第５には、上記香り機能付き宝石を用いたインテリアを提供する。
【００１１】
また、第６には、香り機能付き宝石の作製方法であって、宝石にカットを施した後に非貫通の穴を開けて、次いで穴の内部に香水または香油を注入し、香水または香油を界面張力により保持させることを特徴とする香り機能付き宝石の作製方法を提供する。
【００１２】
第７には、宝石は透明石である場合に、穴の壁面を研磨加工することを特徴とし、第８には、硬質木材を用いて研磨加工することを特徴とし、第９には、竹材を用いて研磨加工することを特徴とする香り機能付き宝石の作製方法を提供する。さらに、第１０には、穴の径が、０．８ｍｍ〜２．０ｍｍであることを特徴とする香り機能付き宝石の作製方法をも提供する。
【発明の効果】
【００１３】
第１の発明によれば、宝石に開けられた非貫通の穴の内部の香水または香油は、界面張力によって保持されているため、穴の開いた側を下となるように傾けても香水または香油が垂れてしまうことはない。このため、宝石の従来の装飾性を付与する機能に加えて、従来にはない機能として、香りを発することができる。さらに、穴の内部に香水または香油が保持されているため、アクセサリーに利用する際には、直接肌に香水または香油が触れることもなく、さらに汗等によって香水または香油が流れ落ちることもない。このため、穴から徐々に香水または香油の香りが蒸散させることができる。
【００１４】
第２の発明によれば、宝石、穴の壁面、香水が透明であるため、美的外観を向上させることができるとともに、香水または香油の残量を確認することができる。
【００１５】
第３の発明によれば、穴の内部に香水または香油がより確実に保持されているとともに香水の注入を容易にすることができる。
【００１６】
第４の発明によれば、装飾性を付与する機能と香りを発する機能とを有する宝石を用いた、従来にはない新しいアクセサリーが提供され、また、第５の発明によれば、装飾性を付与する機能と香りを発する機能とを有する宝石を用いた、従来にはない新しいインテリアが提供される。
【００１７】
第６の発明によれば、宝石の従来の装飾性を付与する機能に加えて、従来にはない機能として、香りを発することができる香り機能付き宝石を作製することができる。
【００１８】
第７の発明によって、穴の壁面を透明な壁面とすることによって、宝石、穴の壁面、香水が透明に統一され、美的外観を向上させることができ、また、香水または香油の残量を確認することができ、第８、第９の発明によれば、壁面の透明度をさらに増すことができる。
【００１９】
第１０の発明によれば、穴の内部に香水または香油がより確実に保持させるとともに香水の注入を容易にすることができる。
【発明を実施するための最良の形態】
【００２０】
以下、本発明について詳しく説明する。
【００２１】
図１は、本発明の香り機能付き宝石の一実施形態の模式図である。
【００２２】
図１に示されるように、本発明の香り機能付き宝石１は、宝石２にカットが施されていて、この宝石２には非貫通の穴３が開けられている。そして、穴３の内部には、香水または香油４が界面張力により保持されている。
【００２３】
このような本発明の香り機能付き宝石１は、香水または香油４と穴３の壁面３との界面張力によって、穴３の開いた側を下となるように傾けても香水または香油４が垂れてしまうことはない。このため、本発明の香り機能付き宝石１は、穴３から蒸散される香りと宝石２の美的外観との両方を楽しむことができる。また、アクセサリーに利用する際にも、直接肌に香水または香油４が触れる心配もなく、さらに汗等によって香水または香油４が流れ落ちる心配もなく、穴３から徐々に香水または香油４の香りが蒸散されるのである。
【００２４】
本発明において、使用される宝石２としては、不透明石であるか透明石であるかを問わない。例えば、不透明石としては、アゲート、カルセドニー、ムーンストーン、トルコ石、ラピスラズリ等を用いることができる。不透明石であることによって穴３の内部に保持されている香水または香油４は外部から見えることはなく、また、穴３自体がごく小さな径であることによって穴３の存在を外見ではほとんど認識できないので、従来の宝石と外観上はほとんど違いがないものであり、従来と同様に使用することができる。一方、例えば、透明石としては、ブルートパーズ、ガーネット、ペリドット、トルマリン、アクアマリン、アミジスト・シトリンなどのクオ−ツ類等を用いることができる。透明石であることによって、穴３や香水または香油４を外部から認識することができ、従来の宝石とは外観上全く異なり、宝石の新しい美的外観を得ることができる。そして、不透明石、透明石いずれにおいても、香りを発することができることは言うまでもない。また、宝石２のカット、デザイン等は特に制限されず、様々な形状とすることができる。
【００２５】
本発明において、宝石２に開けられている非貫通の穴３は、穴３の壁面３１と香水または香油４との界面張力によって、穴３の内部に香水または香油４が保持するものである。このため、穴３の壁面３１と香水または香油４との濡れ性によって香水または香油４の保持を可能とする穴３の径の大きさを決定することができる。必ずしも制限されることはないが、目安としては、２．５ｍｍ以下とすることができ、好ましくは２．０ｍｍ以下とすることができる。また、穴あけ加工の容易性および香水または香油４の注入の容易性を考慮して、０．５ｍｍ以上、好ましくは０．８ｍｍ以上とすることができる。なお、丸穴に制限されることはなく、幅が２．５ｍｍ以下とされた角穴等であってもよいことは言うまでもない。
【００２６】
本発明において、穴３を形成するための穴あけ加工には、例えば、超音波振動穿孔機、たたき穴穿孔機、レーザー穿孔機等を用いることができる。宝石２が透明石であれば、穴あけ加工の後は、穴３の壁面３１は不透明または半透明となり透明石２の中に、研磨器具を用いて穴３の壁面３１を研磨し、透明な壁面３１とすることによって、宝石、穴の壁面、香水が透明に統一され、美的外観を向上させることができるため、研磨加工を行うことが好ましい。また、透明な壁面３１とすることによって、香水または香油４の残量を確認することもできる。研磨加工としては、例えば、ダイヤモンド電着研磨器具を用いて穴３の壁面３１を研磨した後に、硬質木材研磨器具を用いて研磨することによって、透明性がさらに向上するため好ましく、硬質木材として竹材を用いることがさらに好ましい。また、穴３の内部に香水または香油４を注入するには、例えばスポイト、注射器等を用いることができる。
【００２７】
以上のような、本発明の香り機能付き宝石１は、リング、ペンダント、イヤリング、ピアス、ブレスレット、時計等にあしらって、身に着けるアクセサリーとして利用することができ、また、芳香台等のインテリアとしても利用することができる。
【実施例】
【００２８】
以下の作製手順によって、本発明の香り機能付き宝石を作製し、これを用いて図２に示されるペンダントおよびリングを作製した。
１．ファセットカットを施したシトリンに超音波振動穿孔機を用いて、径が０．８ｍｍ、深さ１．５ｃｍの非貫通の穴を開けた。この時、穴の壁面は不透明であった。
２．次いで、リューターに装着したダイヤモンド電着研磨器具（研磨部の径０．８ｍｍ）を用いて、穴の壁面を研磨した。この時、穴は半透明であった。
３．次いで、リューターに装着した竹材研磨器具（研磨部の径０．８ｍｍ）を用いて、穴の壁面を研磨した。この時、穴は透明であった。
４．次いで、スポイトを用いて、穴の中に香水を注入した。
５．ペンダントおよびリングの地金台座に、宝石を嵌め込んだ。
【００２９】
この宝石の穴が開けられた方を下に向けても香水がこぼれることはなかった。また、作製したペンダントおよびリングを装着して動いていても、香水がこぼれることはなく、宝石からほのかな香りを発していた。
【図面の簡単な説明】
【００３０】
【図１】本発明の香り機能付き宝石の一実施形態の模式図である。
【図２】実施例において作製したペンダントおよびリングの写真である。
【符号の説明】
【００３１】
１  香り機能付き宝石
２  宝石
３  穴
３１  壁面
４  香水または香油
【図１】
2009018016.tif 000003
【図２】
2009018016.tif 000004